(57)【要約】【課題】定インピーダンス制御によって電極が自動的に昇降するアーク炉において、不導電体が早期に検知され、電極が不導電体に衝突して折損事故が起きることのないようにする。【解決手段】炉用変圧器１３の二次側の電圧と電流とを検知し、その比が一定となるように電極昇降装置７が電極３を自動的に昇降させる定インピーダンス制御のアーク炉において、操業中に二次側の電流が下限設定値以下となり、かつ電極３を支持する電極昇降装置のモータ１０の負荷トルクが通常運転時の４０％以下となり、その状況が０．５秒間前後続いた場合に直ちに自動昇降を停止させ電極３を上昇させるようにした。【選択図】図１
2006179425.tif 000002
【特許請求の範囲】
【請求項１】
炉用変圧器の二次側の電圧と電流とを検知し、その比が一定となるように電極昇降装置が電極を自動的に昇降させる定インピーダンス制御のアーク炉において、操業中に二次側の電流が下限設定値以下となり、かつ電極を支持する電極昇降装置のモータの負荷トルクが通常運転時の４０％以下となり、その状況が０．５秒間前後続いた場合に直ちに自動昇降を停止させ電極を上昇させるようにしたことを特徴とするアーク炉の電極昇降制御装置。
【発明の詳細な説明】
【技術分野】
【０００１】
本発明はアーク炉の操業中に電極が自動昇降する過程で電極が折損することを防止する電極昇降制御装置に関するものである。
【背景技術】
【０００２】
金属スクラップ等を溶解するアーク炉は、一般に下記特許文献１，２等に示されているように、炉用変圧器の二次側の電圧と電流とを検知し、その比が一定となるように電極昇降装置が電極を自動的に昇降させるようにした定インピーダンス制御がなされ、これによって炉内の電極高さが溶解材料の溶解状況に追従しアーク長が一定に保たれるようにしている。
この定インピーダンス制御では、操業中に造滓材等の不導電体材料が投入された場合、或いは投入された溶解材料中に樹脂やセラミック等の不導電体が混在していた場合等に導通が妨げられことから、定インピーダンスとなるまで電極が下降し続け、電極を折損させるおそれが生じる。このような場合、従来では、炉蓋を旋回し、炉内に炭材等の易通電材を投入することで導電性を回復させ、電極を折損させないようにしている。
また、下記特許文献３に示された電極折損防止装置は、炉内に装入された溶解材料の高さをレベル計によって予め測定することにより電極折損を防止しようとするものであった。
【特許文献１】特許第３１９８５９３号公報
【特許文献２】特開２００３−２７９２６９号公報
【特許文献３】特開平６−２６０２８１号公報
【発明の開示】
【発明が解決しようとする課題】
【０００３】
ところで、従来では電極を昇降動させる電極昇降装置のワイヤの弛みを検知することにより不導電体の有無を検出していたが、ワイヤが弛んだときにはすでに電極が不導電体上に突き当たっている場合が多いため、折損事故を防止できないことがあった。
また、上記特許文献３に示された電極折損防止装置は、操業中の高温度である炉内の溶解材料の高さを的確に測定できるようなレベル計を想定できないという問題があった。
このため、操業中に不導電体を早期に検知し、電極折損を確実に防止し得る技術が望まれていた。
【課題を解決するための手段】
【０００４】
そのために本発明に係るアーク炉の電極昇降制御装置は、炉用変圧器の二次側の電圧と電流とを検知し、その比が一定となるように電極昇降装置が電極を自動的に昇降させる定インピーダンス制御のアーク炉において、操業中に二次側の電流が下限設定値以下となり、かつ電極を支持する電極昇降装置のモータの負荷トルクが通常運転時の４０％以下となり、その状況が０．５秒間前後続いた場合に直ちに自動昇降を停止させ電極を上昇させるようにしたことを特徴とする。
【発明の効果】
【０００５】
定インピーダンス制御によって電極を自動的に昇降させるアーク炉において、不導電体が早期に検知されることから、電極が不導電体に衝突して折損するような事態が確実に防止される。
【実施例１】
【０００６】
次に本発明の実施例を図面とともに説明する。図１において、１はアーク炉の炉体、２は該炉体内に装入された金属スクラップ等の溶解材料、３は電極把持器４と支腕５，支柱６により支持されることにより、炉体１の上部開口から該炉体内に垂下状なるように支持された棒状の黒鉛炭素電極、７は支柱６の下端部に設けられた滑車８にワイヤ９を巻掛け、該ワイヤをインバータモータ１０によって回転駆動されるドラム１１に巻回し、該モータ１０を回転駆動することにより電極３が昇降動するように構成された電極昇降装置である。なお、該電極昇降装置には電極上昇時に上限を検知する上限リミットスイッチ、および下降時に下限を検知する下限リミットスイッチが夫々設けられている。
【０００７】
１２は炉用変圧器１３の二次側の電圧と電流を検知し、その比が一定となるようにモータ１０の回転を制御し電極３を自動的に昇降させ定インピーダンス制御をする電極昇降制御装置である。なお、図１は三相交流式アーク炉における電源の一相だけを表示したものであるが、他の二相も同様である。該電極昇降制御装置１２は、電極の昇降動を「自動」に設定する押釦スイッチ、アーク炉電源スイッチ、投入電力設定スイッチ、運転状況表示用モニター等を備え、図２に示した論理回路に従い不導体を検出し電極折損防止制御がなされる。即ち、ＡＮＤゲート１４は、アーク放電用電源が「ＯＮ」され、かつ電極昇降が「自動」に選択されているときに起動し、その出力はＡＮＤゲート１５およびＡＮＤゲート１６に与えられる。ＡＮＤゲート１５は、ＡＮＤゲート１４からの出力があり前記下限リミットスイッチからの出力があったときに起動し、ＯＲゲート１７に出力を与える。また、ＡＮＤゲート１６は、ＡＮＤゲート１４からの出力があり、炉用変圧器１３の二次側の電流が予め決められた下限設定値（例えば、通常運転時の二次側電流が４０ＫＡであった場合はその２０％である８ＫＡを下限設定値とする。）以下となり、かつ、前記モータ１０の負荷トルクが通常運転時の４０％以下となったときに起動し、その出力がタイマー１８によって計時され、該ＡＮＤゲート１６の起動状態が０．５秒間続いた場合にＯＲゲート１７に出力を与える。
【０００８】
そしてＯＲゲート１７の出力があると不導電体が検出されたこととなり、直ちに自動昇降制御をＯＦＦし、自動設定用の押釦スイッチのランプを点滅させるとともに、モータ１０を駆動し電極３を高速（６ｍ／分で５秒）で上昇させ、同時に運転状況表示用モニターに「不導電体検出」の警報表示をする。このようにこの電極昇降制御装置では、電極昇降が「自動」に設定されており、二次側の電流が予め決められた下限設定値以下となり、かつ、モータ１０の負荷トルクが通常運転時の４０％以下となり、その状況が０．５秒間前後続いた場合をもって不導電体が検出されたものとし、直ちに自動昇降を停止させ電極を上昇させるものであるので、電極３が不導電体に衝突し折損することを事前に防ぐことができる。
【０００９】
なお、負荷トルクが通常運転時の４０％以下となることを「不導電体検出」の要件としたのは、負荷トルクが通常運転時の４０％以上ある場合は未だ何物かに当たることなくその負荷トルクによって電極３が支持されていると判断できるからである。また、ＡＮＤゲート１６の起動状況が０．５秒間前後続くことを「不導電体検出」の要件としたのは、操業中における二次側電流およびモータ負荷トルクの一時的な変動により誤作動することのないようにするためである。
【００１０】
このように運転状況表示用モニターに「不導電体検出」の警報表示がされた場合は、炉内の該当する電極付近に炭材等の易通電材を投入し導通性を回復させることにより通常の操業に戻ることができる。なお、他の二相の電源によるアーク溶解で炉内材料が崩れ不導電体が移動することにより導電性が自然に回復する場合もある。
【産業上の利用可能性】
【００１１】
本発明によれば、自動昇降によって電極を折損させるおそれが排除されるので、金属スクラップや焼却灰等を溶融するための交流または直流を電源とするアーク炉の電極昇降制御装置に広くその技術を適用することができる。
【図面の簡単な説明】
【００１２】
【図１】本発明に係るアーク炉の電極昇降装置の概略図。
【図２】本発明に係るアーク炉の電極昇降制御装置の論理回路図。
【符号の説明】
【００１３】
１      炉体
２      溶解材料
３      電極
７      電極昇降装置
１０    モータ
１２    電極昇降制御装置
１３    炉用変圧器
【図１】
2006179425.tif 000003
【図２】
2006179425.tif 000004